(57)【要約】【課題】簡単な構造で、迅速かつ確実にループ状のつまみを作成することが可能である。【解決手段】一面に粘着剤が塗布されたテープを所定長さに切断するテープ切断刃１２であって、テープ切断刃１２の先端部１２ａが鋸刃状に形成され、先端部１２ａの一部の刃を一方向に折り曲げて傾斜させ、先端部１２ａに、折り曲げない刃１２ｂと、折り曲げた刃１２ｃを設けた。折り曲げた刃１２ｃの先端が、尖らない形状である。【選択図】図２
2013184813.tif 000002
【特許請求の範囲】
【請求項１】
一面に粘着剤が塗布されたテープを所定長さに切断するテープ切断刃であって、
前記テープ切断刃の先端部が鋸刃状に形成され、
前記先端部の一部の刃を一方向に折り曲げて傾斜させ、
前記先端部に、折り曲げない刃と、折り曲げた刃を設け、
前記折り曲げた刃の先端が、尖らない形状であることを特徴とするテープ切断刃。
【請求項２】
平面状のテープセット面を有しテープカッターに装着されるベース板と、
前記テープセット面の後端縁に対して上方位置に移動可能な請求項１に記載のテープ切断刃と、
前記テープ切断刃を回転可能に保持し接着位置と切断位置に移動可能に配置される保持板と、
前記保持板を切断位置に保持する規制板と、
前記テープ切断刃を常に切断位置に付勢する付勢手段と、
を備え、
前記テープ切断刃は、前記保持板の先端部に回動可能に設けられ、
前記テープ切断刃の先端部と反対側の基部を前記ベース板もしくは前記ベース板に設けたストッパーの表面にスライド可能に当接し、
前記保持板を切断位置にして前記テープ切断刃の先端部を立てた状態で、前記テープカッターから引き出したテープを前記テープセット面に接着させるとともに、前記テープ切断刃の先端部の前記折り曲げた刃に接着させて前記折り曲げない刃で切断し、
前記保持板を接着位置に移動させるに従い前記テープ切断刃が前記付勢手段の付勢力に抗して前記テープ切断刃の基部が前記ベース板もしくは前記ストッパーの表面をスライドし、
前記テープ切断刃の先端部を立てた状態から回転し、前記テープ切断刃の先端部を前記テープセット面の後端縁に対して上方に位置させ、
前記テープ切断刃の先端部の前記折り曲げた刃と前記折り曲げない刃に付着する前記テープの切断部を、前記テープセット面の後方位置のテープに接着させてループ状のつまみを作成し、
前記保持板を接着位置に移動させる力を解除すると、前記付勢手段の付勢力により前記テープ切断刃が逆方向に回転し、
前記テープ切断刃の基部が前記ベース板もしくは前記ストッパーの表面を逆方向へスライドして前記保持板を接着位置から切断位置へ移動し、
前記テープ切断刃の先端部が前記テープの切断部から剥離し、前記テープ切断刃の先端部を立てた状態の切断位置へ復帰することを特徴とするテープのつまみ作成具。
【請求項３】
前記ベース板の両側部に、切断位置と接着位置間を移動する前記テープ切断刃の両側部を覆うガイド板を設けたことを特徴とする請求項２に記載のテープのつまみ作成具。
【請求項４】
テープを内部に収納し回転可能に軸支する収納部と、
前記収納部の下流側に連設されたテープ切断部とを有し、
前記テープ切断部に請求項２または請求項３に記載のテープのつまみ作成具が装着されていることを特徴とするテープカッタ−。
【発明の詳細な説明】
【技術分野】
【０００１】
この発明は、一面に粘着剤が塗布されたテープにつまみを作成するテープ切断刃、テープのつまみ作成具及びテープカッターに関する。
【背景技術】
【０００２】
一面に粘着剤が塗布されたテープは、家庭用、事務用、商業用、工業用等の各種用途に広く汎用されている。しかし、使用目的によっては一旦粘着されたテープを用済み後に引剥がしたいことがしばしば発生する。例えば、商店・百貨店・スーパー等での買物の商品包装の封、書類・図面等の一時的位置決め、ポスター・表等の掲示等である。
【０００３】
このような場合、テープの端部に粘着剤が露出していないつまみを設けこれを引っ張ることにより、引剥しが容易に可能となるので、従来からこのつまみを形成するために各種の技術があった。
【先行技術文献】
【特許文献】
【０００４】
【特許文献１】特開２０１１−１６６６５号公報
【特許文献２】特開２００８−２４５０３号公報
【特許文献３】特開２００６−３１２５３１号公報
【特許文献４】特開２００６−２４８７７６号公報
【特許文献５】特開２００２−１４５５１１号公報
【特許文献６】特開２００１−１９９６１９号公報
【特許文献７】特開平１１−１００１６２号公報
【発明の概要】
【発明が解決しようとする課題】
【０００５】
ところで、従来のつまみを形成するために各種の技術では、構造が複雑で、かつ迅速にループ状のつまみを作成することが困難であった。また、一面に粘着剤が塗布されたテープをテープ切断刃で所定長さに切断し、この切断部をテープ切断刃に接着させてループ状のつまみを作成するようにすると構造が簡単になるが、テープの切断部での保持力が十分でなくテープ切断刃を切断位置からループ状のつまみを作る接着位置へ移動する際に、テープが下側に落ち込んでループ状のつまみを作ることができないことがあった。
【０００６】
この発明は、かかる実情に鑑みてなされたもので、簡単な構造で、迅速かつ確実にループ状のつまみを作成することが可能なテープ切断刃、テープのつまみ作成具及びテープカッターを提供することを目的としている。
【課題を解決するための手段】
【０００７】
前記課題を解決し、かつ目的を達成するために、この発明は、以下のように構成した。
【０００８】
請求項１に記載の発明は、一面に粘着剤が塗布されたテープを所定長さに切断するテープ切断刃であって、
前記テープ切断刃の先端部が鋸刃状に形成され、
前記先端部の一部の刃を一方向に折り曲げて傾斜させ、
前記先端部に、折り曲げない刃と、折り曲げた刃を設け、
前記折り曲げた刃の先端が、尖らない形状であることを特徴とするテープ切断刃である。
【０００９】
請求項２に記載の発明は、平面状のテープセット面を有しテープカッターに装着されるベース板と、
前記テープセット面の後端縁に対して上方位置に移動可能な請求項１に記載のテープ切断刃と、
前記テープ切断刃を回転可能に保持し接着位置と切断位置に移動可能に配置される保持板と、
前記保持板を切断位置に保持する規制板と、
前記テープ切断刃を常に切断位置に付勢する付勢手段と、
を備え、
前記テープ切断刃は、前記保持板の先端部に回動可能に設けられ、
前記テープ切断刃の先端部と反対側の基部を前記ベース板もしくは前記ベース板に設けたストッパーの表面にスライド可能に当接し、
前記保持板を切断位置にして前記テープ切断刃の先端部を立てた状態で、前記テープカッターから引き出したテープを前記テープセット面に接着させるとともに、前記テープ切断刃の先端部の前記折り曲げた刃に接着させて前記折り曲げない刃で切断し、
前記保持板を接着位置に移動させるに従い前記テープ切断刃が前記付勢手段の付勢力に抗して前記テープ切断刃の基部が前記ベース板もしくは前記ストッパーの表面をスライドし、
前記テープ切断刃の先端部を立てた状態から回転し、前記テープ切断刃の先端部を前記テープセット面の後端縁に対して上方に位置させ、
前記テープ切断刃の先端部の前記折り曲げた刃と前記折り曲げない刃に付着する前記テープの切断部を、前記テープセット面の後方位置のテープに接着させてループ状のつまみを作成し、
前記保持板を接着位置に移動させる力を解除すると、前記付勢手段の付勢力により前記テープ切断刃が逆方向に回転し、
前記テープ切断刃の基部が前記ベース板もしくは前記ストッパーの表面を逆方向へスライドして前記保持板を接着位置から切断位置へ移動し、
前記テープ切断刃の先端部が前記テープの切断部から剥離し、前記テープ切断刃の先端部を立てた状態の切断位置へ復帰することを特徴とするテープのつまみ作成具である。
【００１０】
請求項３に記載の発明は、前記ベース板の両側部に、切断位置と接着位置間を移動する前記テープ切断刃の両側部を覆うガイド板を設けたことを特徴とする請求項２に記載のテープのつまみ作成具である。
【００１１】
請求項４に記載の発明は、テープを内部に収納し回転可能に軸支する収納部と、
前記収納部の下流側に連設されたテープ切断部とを有し、
前記テープ切断部に請求項２または請求項３に記載のテープのつまみ作成具が装着されていることを特徴とするテープカッタ−である。
【発明の効果】
【００１２】
前記構成により、この発明は、以下のような効果を有する。
【００１３】
請求項１に記載の発明では、テープ切断刃の先端部が鋸刃状に形成され、先端部の一部の刃を一方向に折り曲げて傾斜させ、先端部に、折り曲げない刃と、折り曲げた刃を設けたことで、テープを折り曲げない刃で切断して折り曲げた刃に接着させることができ、例えばテープ切断刃を用いてテープにループ状のつまみを作成する場合に、テープの切断部での保持力が上がり、テープが下側に落ち込むことが防止でき、簡単な構造で、迅速かつ確実にループ状のつまみを作成することが可能である。また、折り曲げた刃の先端が、尖らない形状であることで、テープの切断部での保持力が一層上がり、テープが下側に落ち込むことをさらに確実に防止することができる。    
【００１４】
請求項２に記載の発明では、保持板を切断位置にしてテープ切断刃の先端部を立てた状態で、テープカッターから引き出したテープをテープセット面に接着させるとともに、テープ切断刃の先端部の折り曲げた刃に接着させて折り曲げない刃で切断する。そして、保持板を接着位置に移動させるに従いテープ切断刃が付勢手段の付勢力に抗してテープ切断刃の先端部を立てた状態から回転し、テープ切断刃の先端部をテープセット面の後端縁に対して上方に位置させ、テープ切断刃の先端部の折り曲げた刃と折り曲げない刃に付着するテープの切断部を、テープセット面の後方位置のテープに接着させてループ状のつまみを作成する。保持板を接着位置に移動させる力を解除すると、付勢手段の付勢力によりテープ切断刃が逆方向に回転し、保持板を接着位置から切断位置へ移動し、テープ切断刃の先端部がテープの切断部から剥離し、テープ切断刃の先端部を立てた状態の切断位置へ復帰し、簡単な操作で、テープセット面の後端縁に対して上方に位置させてテープの切断部を、テープセット面の後方位置のテープに接着させ、迅速にループ状のつまみを作成することができる。
【００１５】
請求項３に記載の発明では、ベース板の両側部に設けたガイド板により切断位置と接着位置間を移動するテープ切断刃の両側部を覆うことで、テープ切断刃に触れることに注意を払うことなくつまみを作成することができる。また、保持板やテープ切断刃をベース板によって保護し、保持板やテープ切断刃が障害物と干渉することを防止することができる。
【００１６】
請求項４に記載の発明では、請求項２または請求項３に記載のテープのつまみ作成具をテープカッターに装着し、テープカッターの収納部からテープを引き出し、テープのつまみ作成具によって簡単な構造で、迅速かつ確実にループ状のつまみを作成することができる。
【図面の簡単な説明】
【００１７】
【図１】テープ切断刃の折り曲げ前の状態を示す図である。
【図２】テープ切断刃の折り曲げた状態を示す図である。
【図３】テープ切断刃の使用状態を示す図である。
【図４】テープ切断刃の他の実施の形態を示す図である。
【図５】テープのつまみ作成具を備えたテープカッターの斜視図である。
【図６】テープを切断する状態の側面図である。
【図７】テープをループ状にする状態を説明する図である。
【図８】テープをループ状にする状態を説明する拡大図である。
【発明を実施するための形態】
【００１８】
以下、この発明のテープ切断刃、テープのつまみ作成具及びテープカッターの実施の形態について説明する。この発明の実施の形態は、発明の最も好ましい形態を示すものであり、この発明はこれに限定されない。
【００１９】
［テープ切断刃］
この実施の形態のテープ切断刃を、図１乃至図４に基づいて説明する。図１はテープ切断刃の折り曲げ前の状態を示す図、図２はテープ切断刃の折り曲げた状態を示す図、図３はテープ切断刃の使用状態を示す図、図４はテープ切断刃の他の実施の形態を示す図である。
【００２０】
この実施の形態のテープ切断刃１２は、一面に粘着剤が塗布されたテープを所定長さに切断する刃であり、図１に示すように、板金を打ち抜きテープ切断刃１２の先端部１２ａが鋸刃状に形成される。このテープ切断刃１２の両側部には、打ち抜いた板金片を筒状もしくは「く」の字に曲げて回転軸１２ｇ，１２ｈが一体に形成され、この回転軸１２ｇの基部に切り欠き部１２ｉが形成されている。
【００２１】
このテープ切断刃１２の先端部１２ａの一部の刃を、図２に示すように、一方向に折り曲げて傾斜させ、先端部１２ａに、折り曲げない刃１２ｂと、折り曲げた刃１２ｃを設けている。この折り曲げない刃１２ｂは、先端が尖がった形状であり、折り曲げた刃１２ｃは、先端が尖らない形状に形成されている。この折り曲げた刃１２ｃは、所定間隔の刃を一方向に折り曲げて傾斜させており、この傾斜角度θは、４０°〜４５°が好ましいが特に限定されない。
【００２２】
この実施の形態のテープ切断刃１２は、第１の折り曲げ段部１２ｄと、第２の折り曲げ段部１２ｅとを有し、先端部１２ａと反対側に基部１２ｆが形成され、取り付け部材に応じた形状に構成されている。
【００２３】
このテープ切断刃１は、図３（ａ）に示すように、例えばテープカッターから引き出したテープＴをテープ切断刃１２の折り曲げない刃１２ｂで切断するが、このとき折り曲げた刃１２ｃに接着しており、テープＴを切断した後もテープ切断刃１２の折り曲げない刃１２ｂと折り曲げた刃１２ｃに接着している。この折り曲げた刃１２ｃにもテープＴの切断部Ｔａが接着していることで、例えばテープ切断刃１２を用いてテープＴにループ状のつまみを作成する場合に、テープＴの切断部Ｔａでの保持力が上がり、テープＴが下側に落ち込むことが防止でき、簡単な構造で、迅速かつ確実にループ状のつまみを作成することが可能である。
【００２４】
このテープ切断刃１２の折り曲げた刃１２ｃの他の実施の形態は、図４（ａ）では先端を円弧状に形成し、図４（ｂ）では先端を矩形に形成し、図４（ｃ）では先端を逆三角状に形成し、図４（ｄ）では先端を波形状に形成しているが、これに限定されず種々の形状に形成することができる。このように、テープ切断刃１２の折り曲げた刃１２ｃの先端が、尖らない形状であることで、テープＴの切断部での保持力が一層上がり、テープＴが下側に落ち込むことをさらに確実に防止することができる。
【００２５】
［テープのつまみ作成具及びテープカッター］
（テープのつまみ作成具及びテープカッターの構成）
この実施の形態のテープのつまみ作成具及びテープカッターを、図５乃至図８に基づいて説明する。図５はテープのつまみ作成具を備えたテープカッターの斜視図、図６はテープを切断する状態の側面図、図７はテープをループ状にする状態を説明する図、図８はテープをループ状にする状態を説明する拡大図である。
【００２６】
このテープのつまみ作成具１０は、テープＴにループ状のつまみを作成する場合には、テープカッター９０に装着して使用される。テープカッター９０はテープ切断部９１を有し、テープのつまみ作成具１０はテープカッター９０の収納部からテープＴを引き出し、テープＴにループ状のつまみを作成する。
【００２７】
このテープのつまみ作成具１０は、平面状のテープセット面１１ａを有しテープカッターに装着されるベース板１１と、テープセット面１１ａの後端縁に対して上方位置に移動可能な鋸刃状のテープ切断刃１２と、テープ切断刃１２を回動可能に保持し接着位置と切断位置に移動可能に配置される保持板１３と、保持板１３を切断位置に保持する規制板１４と、テープ切断刃１２を常に切断位置に付勢する付勢手段１５とを備える。
【００２８】
ベース板１１は、例えば樹脂、金属などで成形され、テープカッター９０のテープ切断部９１の後壁の表面に両面接着テープ９４などによって固定する。ベース板１１の下部には、左右一対の受け部２０が設けられ、この左右一対の受け部２０に支持ピン２１を支点に保持板１３の下部が回転可能に支持されている。この保持板１３は、例えば樹脂、金属などで成形される。
【００２９】
この実施の形態のテープ切断刃１２は、前記した実施の形態と同様に構成されるので同じ符号を付して説明を省略する。テープ切断刃１２の第１の折り曲げ段部１２ｄの両側部に支持軸１２ｇ，１２ｈが一体に形成され、この支持軸１２ｇ，１２ｈは保持板１３の上部に回転可能に設けられている。この両側部の支持軸１２ｇ，１２ｈは、テープ切断刃１２と別体に形成し、テープ切断刃１２に固定してもよい。第２の折り曲げ段部１２ｅは、保持板１３の上端部の角部に沿って設けられ、折り曲げない刃１２ｂと折り曲げた刃１２ｃが保持板１３の上端から立ち上がるようになっている。
【００３０】
付勢手段１５は、コイルスプリング４０で構成される。このコイルスプリング４０は、回転軸１２ｇの基部に切り欠き部１２ｉに装着され、コイルスプリング４０の一端部４０ａは保持板１３に係止され、他端部４０ｂはテープ切断刃１２に係止される。このコイルスプリング４０の付勢力により、テープ切断刃１２の先端部１２ａと反対側の基部１２ｆは、ベース板１１もしくはベース板１１に設けたストッパー２２の表面にスライド可能に当接する。
【００３１】
このテープ切断刃１２の基部１２ｆは、ストッパー２２によって上方への移動が規制され、これによりテープ切断刃１２はコイルスプリング４０により常に切断位置の方向へ付勢され、テープ切断刃１２が設けられた保持板１３は規制板１４に当接し、この規制板１４によって保持板１３が切断位置に保持される。
【００３２】
テープＴにループ状のつまみを作成する場合には、保持板１３をベース板１１の方向へ移動させると、テープ切断刃１２の基部１２ｆがベース板１１の表面もしくはストッパー２２の表面を下方にスライドして移動し、テープ切断刃１２の中央部がストッパー２２に当り、さらに保持板１３を移動させるとテープ切断刃１２の中央部がストッパー２２により押され、テープ切断刃１２は先端部１２ａの折り曲げない刃１２ｂと折り曲げた刃１２ｃが、ベース板１１のテープセット面１１ａに近づくように回転する。
【００３３】
ベース板１１の両側部には、切断位置と接着位置間を移動するテープ切断刃１２の両側部を覆うガイド板５０が設けられている。このガイド板５０は、ベース板１１と一体に設けてもよく、また別体に成形してベース板１１に接着などによって取り付けてもよい。
【００３４】
このように、ベース板１１の両側部に設けたガイド板５０により切断位置と接着位置間を移動するテープ切断刃１２の両側部を覆うことで、テープ切断刃１２に触れることに注意を払うことなくつまみを作成することができる。また、保持板１３やテープ切断刃１２をガイド板５０によって保護し、保持板１３やテープ切断刃１２が障害物と干渉することを防止することができる。
【００３５】
（テープのつまみ作成具及びテープカッターの使用）
このテープのつまみ作成具１０を用いてテープＴにループ状のつまみを作成する場合には、図６に示すように、テープカッター９０の収納部からテープＴを引き出し、テープＴを切断位置に位置するテープ切断刃１２によって切断する（図７（ａ）、図８（ａ））。
【００３６】
この切断は、テープ切断刃１２の先端部１２ａと反対側の基部１２ｆをベース板１１もしくはストッパー２２の表面にスライド可能に当接し、保持板１３は切断位置にしてテープ切断刃１２の先端部１２ａを立てた状態であり、テープカッター９０から引き出したテープＴの粘着面Ｔｂをベース板１１のテープセット面１１ａに接着させるとともに、テープ切断刃１２の先端部１２ａの折り曲げた刃１２ｃに接着させて折り曲げない刃１２ｂで切断する。
【００３７】
そして、保持板１３を指によって押すなどによってベース板１１に近接させると、この保持板１３を接着位置に移動させるに従いテープ切断刃１２が付勢手段１５の付勢力に抗してテープ切断刃１２の基部１２ｆがベース板１１もしくはストッパー２２の表面を下方にスライドし、テープ切断刃１２の先端部１２ａを立てた状態から支持軸１２ｇ、１２ｈを支点にして回転し、テープ切断刃１２の先端部１２ａをテープセット面１１ａの後端縁に対して上方に位置する（図７（ｂ）、図８（ｂ））。
【００３８】
この実施の形態では、テープカッター９０から引き出したテープＴの切断部Ｔａをテープ切断刃１２の折り曲げない刃１２ｂで切断して折り曲げた刃１２ｃに接着させたことで、テープＴの切断部Ｔａでの保持力が上がり、テープＴが下側に落ち込むことが防止できる。
【００３９】
このように保持板１３をベース板１１の方向へ移動させ、テープ切断刃１２の基部１２ｆがベース板１１もしくはストッパー２２の表面を下方にスライドして移動し、テープ切断刃１２の中央部がストッパー２２に当り、さらに保持板１３を移動させるとテープ切断刃１２の中央部がストッパー２２により押される。これにより、テープ切断刃１２は、折り曲げない刃１２ｂと折り曲げた刃１２ｃがベース板１１のテープセット面１１ａに近づくように回転する。
【００４０】
このとき、テープＴがループ状になり、テープ切断刃１２の折り曲げた刃１２ｃに付着しているテープＴの粘着面Ｔｂがテープセット面１１ａに付着している部分の上方位置からテープＴの粘着面Ｔｂに接着し、さらにテープ切断刃１２の回転により折り曲げた刃１２ｃから剥離して折り曲げない刃１２ｂに接着しているテープＴの粘着面Ｔｂも接着し、ループ状のつまみＴｃを作成する（図７（ｃ）、図８（ｃ））。
【００４１】
この状態で、指などによって保持板１３を接着位置に位置させている力を解除すると、付勢手段１５の付勢力によりテープ切断刃１２が逆方向に支持軸１２ｇ、１２ｈを支点にして回転し、テープ切断刃１２の基部１２ｆがベース板１１もしくはストッパー２２の表面を逆方向へスライドして保持板１３を接着位置から切断位置へ移動する。これにより、テープ切断刃１２の先端部１２ａの折り曲げない刃１２ｂがテープＴの切断部Ｔａから剥離し、テープ切断刃１２の先端部１２ａを立てた状態の切断位置へ復帰する（図７（ｄ）、図８（ｄ））。
【００４２】
このテープ切断刃１２が回転して切断位置に復帰した状態では、テープＴの粘着面Ｔｂがテープセット面１１ａに接着しており、テープ切断刃１２が切断部Ｔａの粘着面Ｔｂから離間し、テープＴがループ状になりつまみＴｃが形成される。
【００４３】
このとき、付勢手段１５の付勢力によりテープ切断刃１２を接着位置から離間させる方向に付勢しており、テープ切断刃１２の先端部１２ａがテープＴの切断部Ｔａから離間して切断位置に復帰し、保持板１３が規制板１４により切断位置に保持されていることで（図７（ｄ）、図８（ｄ））、ループ状のつまみＴｃを摘みテープＴをテープカッター９０から引き出してテープ切断刃１２により切断することができる。
【００４４】
このように、簡単な操作で、テープ切断刃１２の先端部１２ａをテープセット面１１ａの後端縁に対して上方に位置させ、テープＴの切断部Ｔｂを、テープセット面１１ａの後方位置のテープＴに接着させ、迅速かつ確実にループ状のつまみＴｃを作成することができる。
【００４５】
この実施の形態では、保持板１３を指によって押すなどによってベース板１１に近接させるが、テープＴの切断部Ｔａとテープ切断刃１２の先端部１２ａと共に保持板１３を指によって押すなどによってベース板１１に近接させることが好ましく、メンディングテープのような硬くて張りのある粘着テープでも安定してループ状のつまみを作成することができる。また、保持板１３の先端部の支持軸１２ｇ、１２ｈを支点にテープ切断刃１２が回転可能に設けられており、テープＴの先端部とテープ切断刃１２とが保持板１３と共に押される際に回転してテープ切断刃１２の刃が押した指よりも先に離れて逃げ、指に尖った刃が当たる感触が緩和される。
【００４６】
この実施の形態のテープのつまみ作成具１０は、既存のテープカッターにも容易に装着可能であり、既存のテープカッターの収納部からテープを引き出し、テープのつまみ作成具によって簡単な構造で、迅速かつ確実にループ状のつまみを作成することができる。
【産業上の利用可能性】
【００４７】
この発明は、一面に粘着剤が塗布されたテープにつまみを作成するテープ切断刃、テープのつまみ作成具及びテープカッターに適用可能であり、簡単な構造で、迅速かつ確実にループ状のつまみを作成することが可能である。
【符号の説明】
【００４８】
１０  テープのつまみ作成具
１１  ベース板
１１ａ  テープセット面
１２  テープ切断刃
１２ａ  テープ切断刃の先端部
１２ｂ  折り曲げない刃
１２ｃ  折り曲げた刃
１２ｄ  第１の折り曲げ段部
１２ｅ  第２の折り曲げ段部
１２ｆ  基部
１２ｇ，１２ｈ  支持軸
１２ｉ  切り欠き部
１３  保持板
１４  規制板
１５  付勢手段
２０  受け部
２１  支持ピン
２２  ストッパー
４０  コイルスプリング
９０  テープカッター
９１  テープ切断部
Ｔ  テープ
Ｔａ  テープＴの切断部
Ｔｂ  テープＴの粘着面
Ｔｃ  テープＴのつまみ
【図１】
2013184813.tif 000003
【図２】
2013184813.tif 000004
【図３】
2013184813.tif 000005
【図４】
2013184813.tif 000006
【図５】
2013184813.tif 000007
【図６】
2013184813.tif 000008
【図７】
2013184813.tif 000009
【図８】
2013184813.tif 000010
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
平面状のテープセット面を有しテープカッターに装着されるベース板と、
前記テープセット面の後端縁に対して上方位置に移動可能なテープ切断刃と、
前記テープ切断刃を回転可能に保持し接着位置と切断位置に移動可能に配置される保持板と、
前記保持板を切断位置に保持する規制板と、
前記テープ切断刃を常に切断位置に付勢する付勢手段と、
を備え、
前記テープ切断刃は、一面に粘着剤が塗布されたテープを所定長さに切断する切断刃であって、
前記テープ切断刃の先端部が鋸刃状に形成され、
前記先端部の一部の刃を一方向に折り曲げて傾斜させ、
前記先端部に、折り曲げない刃と、折り曲げた刃を設け、
前記折り曲げた刃の先端が、尖らない形状であり、
前記テープ切断刃は、前記保持板の先端部に回動可能に設けられ、
前記テープ切断刃の先端部と反対側の基部を前記ベース板もしくは前記ベース板に設けたストッパーの表面にスライド可能に当接し、
前記保持板を切断位置にして前記テープ切断刃の先端部を立てた状態で、前記テープカッターから引き出したテープを前記テープセット面に接着させるとともに、前記テープ切断刃の先端部の前記折り曲げた刃に接着させて前記折り曲げない刃で切断し、
前記保持板を接着位置に移動させるに従い前記テープ切断刃が前記付勢手段の付勢力に抗して前記テープ切断刃の基部が前記ベース板もしくは前記ストッパーの表面をスライドし、
前記テープ切断刃の先端部を立てた状態から回転し、前記テープ切断刃の先端部を前記テープセット面の後端縁に対して上方に位置させ、
前記テープ切断刃の先端部の前記折り曲げた刃と前記折り曲げない刃に付着する前記テープの切断部を、前記テープセット面の後方位置のテープに接着させてループ状のつまみを作成し、
前記保持板を接着位置に移動させる力を解除すると、前記付勢手段の付勢力により前記テープ切断刃が逆方向に回転し、
前記テープ切断刃の基部が前記ベース板もしくは前記ストッパーの表面を逆方向へスライドして前記保持板を接着位置から切断位置へ移動し、
前記テープ切断刃の先端部が前記テープの切断部から剥離し、前記テープ切断刃の先端部を立てた状態の切断位置へ復帰することを特徴とするテープのつまみ作成具。
【請求項２】
前記ベース板の両側部に、切断位置と接着位置間を移動する前記テープ切断刃の両側部を覆うガイド板を設けたことを特徴とする請求項１に記載のテープのつまみ作成具。
【請求項３】
テープを内部に収納し回転可能に軸支する収納部と、
前記収納部の下流側に連設されたテープ切断部とを有し、
前記テープ切断部に請求項１または請求項２に記載のテープのつまみ作成具が装着されていることを特徴とするテープカッタ−。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項１に記載の発明は、平面状のテープセット面を有しテープカッターに装着されるベース板と、
前記テープセット面の後端縁に対して上方位置に移動可能なテープ切断刃と、
前記テープ切断刃を回転可能に保持し接着位置と切断位置に移動可能に配置される保持板と、
前記保持板を切断位置に保持する規制板と、
前記テープ切断刃を常に切断位置に付勢する付勢手段と、
を備え、
前記テープ切断刃は、一面に粘着剤が塗布されたテープを所定長さに切断する切断刃であって、
前記テープ切断刃の先端部が鋸刃状に形成され、
前記先端部の一部の刃を一方向に折り曲げて傾斜させ、
前記先端部に、折り曲げない刃と、折り曲げた刃を設け、
前記折り曲げた刃の先端が、尖らない形状であり、
前記テープ切断刃は、前記保持板の先端部に回動可能に設けられ、
前記テープ切断刃の先端部と反対側の基部を前記ベース板もしくは前記ベース板に設けたストッパーの表面にスライド可能に当接し、
前記保持板を切断位置にして前記テープ切断刃の先端部を立てた状態で、前記テープカッターから引き出したテープを前記テープセット面に接着させるとともに、前記テープ切断刃の先端部の前記折り曲げた刃に接着させて前記折り曲げない刃で切断し、
前記保持板を接着位置に移動させるに従い前記テープ切断刃が前記付勢手段の付勢力に抗して前記テープ切断刃の基部が前記ベース板もしくは前記ストッパーの表面をスライドし、
前記テープ切断刃の先端部を立てた状態から回転し、前記テープ切断刃の先端部を前記テープセット面の後端縁に対して上方に位置させ、
前記テープ切断刃の先端部の前記折り曲げた刃と前記折り曲げない刃に付着する前記テープの切断部を、前記テープセット面の後方位置のテープに接着させてループ状のつまみを作成し、
前記保持板を接着位置に移動させる力を解除すると、前記付勢手段の付勢力により前記テープ切断刃が逆方向に回転し、
前記テープ切断刃の基部が前記ベース板もしくは前記ストッパーの表面を逆方向へスライドして前記保持板を接着位置から切断位置へ移動し、
前記テープ切断刃の先端部が前記テープの切断部から剥離し、前記テープ切断刃の先端部を立てた状態の切断位置へ復帰することを特徴とするテープのつまみ作成具である。
【手続補正４】
【補正対象書類名】明細書
【補正対象項目名】００１０
【補正方法】変更
【補正の内容】
【００１０】
請求項２に記載の発明は、前記ベース板の両側部に、切断位置と接着位置間を移動する前記テープ切断刃の両側部を覆うガイド板を設けたことを特徴とする請求項１に記載のテープのつまみ作成具である。
【手続補正５】
【補正対象書類名】明細書
【補正対象項目名】００１１
【補正方法】変更
【補正の内容】
【００１１】
請求項３に記載の発明は、テープを内部に収納し回転可能に軸支する収納部と、
前記収納部の下流側に連設されたテープ切断部とを有し、
前記テープ切断部に請求項１または請求項２に記載のテープのつまみ作成具が装着されていることを特徴とするテープカッタ−である。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
請求項１に記載の発明では、保持板を切断位置にしてテープ切断刃の先端部を立てた状態で、テープカッターから引き出したテープをテープセット面に接着させるとともに、テープ切断刃の先端部の折り曲げた刃に接着させて折り曲げない刃で切断する。そして、保持板を接着位置に移動させるに従いテープ切断刃の先端部を立てた状態から回転し、テープ切断刃の先端部をテープセット面の後端縁に対して上方に位置させ、テープ切断刃の先端部の折り曲げた刃と折り曲げない刃に付着するテープの切断部を、テープセット面の後方位置のテープに接着させてループ状のつまみを作成する。保持板を接着位置に移動させる力を解除すると、テープ切断刃が逆方向に回転し、保持板を接着位置から切断位置へ移動し、テープ切断刃の先端部がテープの切断部から剥離し、テープ切断刃の先端部を立てた状態の切断位置へ復帰し、簡単な操作で、テープセット面の後端縁に対して上方に位置させてテープの切断部を、テープセット面の後方位置のテープに接着させ、迅速にループ状のつまみを作成することができる。また、テープ切断刃の先端部が鋸刃状に形成され、先端部の一部の刃を一方向に折り曲げて傾斜させ、先端部に、折り曲げない刃と、折り曲げた刃を設けたことで、テープを折り曲げない刃で切断して折り曲げた刃に接着させることができ、テープの切断部での保持力が上がり、テープが下側に落ち込むことが防止でき、簡単な構造で、迅速かつ確実にループ状のつまみを作成することが可能である。また、折り曲げた刃の先端が、尖らない形状であることで、テープの切断部での保持力が一層上がり、テープが下側に落ち込むことをさらに確実に防止することができる。
【手続補正８】
【補正対象書類名】明細書
【補正対象項目名】００１５
【補正方法】変更
【補正の内容】
【００１５】
請求項２に記載の発明では、ベース板の両側部に設けたガイド板により切断位置と接着位置間を移動するテープ切断刃の両側部を覆うことで、テープ切断刃に触れることに注意を払うことなくつまみを作成することができる。また、保持板やテープ切断刃をガイド板によって保護し、保持板やテープ切断刃が障害物と干渉することを防止することができる。
【手続補正９】
【補正対象書類名】明細書
【補正対象項目名】００１６
【補正方法】変更
【補正の内容】
【００１６】
請求項３に記載の発明では、請求項１または請求項２に記載のテープのつまみ作成具をテープカッターに装着し、テープカッターの収納部からテープを引き出し、テープのつまみ作成具によって簡単な構造で、迅速かつ確実にループ状のつまみを作成することができる。